(57)【特許請求の範囲】
【請求項１】
映像光源より観察者側に配置され、該映像光源からの光を制御して前記観察者側に出射する複数の層を備える光学シートであって、
前記映像光源からの映像光の色彩を前記観察者にとって適切になるように色彩を補正する色調補正層と、
光を透過可能にシート面に沿って並列されるプリズム部、及び前記プリズム部間に具備され、前記色調補正層の色彩と補色の関係にある着色剤を含有する楔形部を有する光学機能シート層と、
を備える光学シート。
【請求項２】
前記着色剤が顔料又は染料であることを特徴とする請求項１に記載の光学シート。
【請求項３】
前記楔形部には平均粒径が１μｍ以上の粒子が含有され、該粒子に前記着色剤が含まれていることを特徴とする請求項１又は２に記載の光学シート。
【請求項４】
前記楔形部はさらに光を吸収可能に形成されていることを特徴とする請求項１〜３のいずれか一項に記載の光学シート。
【請求項５】
前記楔形部は、該楔形部を構成する材料のみで形成された６μｍ厚さのシートの透過率測定において、透過率が４０〜７０％となるような光吸収性能を有するように構成されていることを特徴とする請求項４に記載の光学シート。
【請求項６】
前記楔形部は、カーボンブラックを含有することにより光を吸収可能に形成されていることを特徴とする請求項４又は５に記載の光学シート。
【請求項７】
前記楔形部には、平均粒径が１μｍ以上の光吸収粒子が含有されることを特徴とする請求項４〜６のいずれか一項に記載の光学シート。
【請求項８】
シート厚方向断面において、
前記光学機能シート層の前記プリズム部は、一方のシート面側に短い上底、他方のシート面側に長い下底を有する台形であり、
前記楔形部は前記一方のシート面側を底辺とする三角形であることを特徴とする請求項１〜７のいずれか一項に記載の光学シート。
【請求項９】
シート厚方向断面において、
前記光学機能シート層の前記プリズム部は、一方のシート面側に短い上底、他方のシート面側に長い下底を有する台形であり、
前記楔形部は前記一方のシート面側に長い下底、前記他方のシート面側に短い上底を有する台形であることを特徴とする請求項１〜７のいずれか一項に記載の光学シート。
【請求項１０】
前記プリズム部の前記上底と前記下底との間に具備される前記台形の斜辺がシート面の法線に対して０度より大きく１０度以下であることを特徴とする請求項８又は９に記載の光学シート。
【請求項１１】
前記台形の斜辺が折れ線状、又は曲線からなることを特徴とする請求項８〜１０に記載の光学シート。
【請求項１２】
前記プリズム部を形成する材料の屈折率がＮｐ、及び前記楔形部を形成する材料の屈折率がＮｂであるとき、該Ｎｐ及びＮｂのいずれも１．４９〜１．５６の値であることを特徴とする請求項１〜１１のいずれか一項に記載の光学シート。
【請求項１３】
前記Ｎｐと前記ＮｂとがＮｐ≧Ｎｂの関係があることを特徴とする請求項１２に記載の光学シート。
【請求項１４】
前記光学機能シート層の前記プリズム部及び前記楔形部が所定の断面を有して長手方向に延在して形成されるとともに、前記光学機能シート層が２層積層され、該２層の光学機能シート層の前記長手方向が一方と他方で直交するように積層されることを特徴とする請求項１〜１３のいずれか一項に記載の光学シート。
【請求項１５】
請求項１〜１４のいずれか一項に記載の光学シートが備えられることを特徴とする表示装置。
【発明の詳細な説明】
【技術分野】
【０００１】
本発明は、映像光源より観察者側に配置されて映像光や外光を適切に制御することができる光学シート及び表示装置に関し、詳しくは、画面内おける色彩ムラの低減や色合いの適正化をすることのできる光学シート及び表示装置に関する。
【背景技術】
【０００２】
プラズマディスプレイパネル（以下、「ＰＤＰ」と記載することがある。）を用いたテレビ等の表示装置では、ＰＤＰよりも観察者側に光学シートが配置されている。この光学シートは、観察者により質の高い映像を提供する役割を有する。そのため該光学シートには、各種機能を有する層が積層される。その中の１つに映像光の色彩を補正するための層がある。これは、ＰＤＰから出射した映像光には、赤外線やＮｅ（ネオン）線、又は光源の性質等による不要な色彩（波長）の光が含まれることがあり、これを除去して観察者に適切な色合いの映像を提供するものである。色調補正層と呼ばれることがある。
【０００３】
このような色調補正層の使用は例えば特許文献１等に開示されている。このような層をＰＤＰ用の色調補正層として用いることができる。
【特許文献１】特表２００６−５１４３３９号公報
【発明の開示】
【発明が解決しようとする課題】
【０００４】
しかしながら、このような色調補正層を用いた場合において、画面を正面から見たときには目的とする色調補正がおこなわれるが、例えば当該色調補正層を斜めに透過する映像光は、色彩の補正が過剰になる場合があった。すなわちこのように斜めに透過する映像光は通常よりも長い距離色調補正層内を透過するので、その分色調補正層の影響を多く受け過ぎるものである。このように斜めに透過する光が観察者に届く場合の例として、画面の上下位置から観察者に向けて出射される映像光を挙げることができる。これにより画面内において色彩ムラを発生することがある。特に近年における大画面化によりその傾向も大きなものとなっている。
【０００５】
また、映像光に限らず、画面の非点灯時又は黒の映像出射時において、画面に入射した外光が反射して観察者に出射される場面では、画面が全体として色調補正層に影響された色味を帯びてしまうことがあった。
【０００６】
そこで本発明は上記問題点に鑑み、画面内における色彩ムラ抑制し、色合い適切なものとすることが可能な光学シート、及び表示装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、映像光源（２）より観察者側に配置され、該映像光源から出射された光を制御して観察者側に出射する複数の層を備える光学シート（１０、２０、３０、４０、５０）であって、映像光源からの映像光の色彩を観察者にとって適切になるように色彩を補正する色調補正層（１８）と、光を透過可能にシート面に沿って並列されるプリズム部（１２、１２、…、３２、３２、…、４２、４２、…）、及びプリズム部間に具備され、色調補正層の色彩と補色の関係にある着色剤を含有する楔形部（１３、１３、…、３３、３３、…、４３、４３、…）を有する光学機能シート層（１１、３１、４１）と、を備える光学シートにより前記課題を解決する。
【０００９】
ここで、「補色」とは、通常の補色と同じであり、補色関係にある２色により無彩色になる関係をいう。また、「着色剤」とは楔形部を着色するために該楔形部に含有される媒体を意味し、染料や顔料を挙げることができる。
【００１０】
請求項２に記載の発明は、請求項１に記載の光学シート（１０、２０、３０、４０、５０）における着色剤が顔料又は染料であることを特徴とする。
【００１１】
ここで、「顔料」、「染料」は上記のように着色剤の一種であり、特に「顔料」は、色彩を有するが水や溶剤に溶けない微粉末を意味する。また「染料」は色彩を有する有機化合物で水や溶媒に溶ける性質を有するものを意味する。
【００１２】
請求項３に記載の発明は、請求項１又は２に記載の光学シート（４０）における楔形部（４３、４３、…）には平均粒径が１μｍ以上の粒子が含有され、該粒子に着色剤が含まれていることを特徴とする。
【００１３】
ここで「平均粒径が１μｍ以上」であることにおける「平均粒径が１μｍ」とは、重量分布法による粒度測定で、粒径が０．５μｍ以上で、１．５μｍより小さい粒子を対象とし、粒度分布において標準偏差が０．３以上であることを意味する。
【００１４】
請求項４に記載の発明は、請求項１〜３のいずれか一項に記載の光学シート（１０、２０、３０、４０、５０）において、楔形部（１３、１３、…、３３、３３、…、４３、４３、…）はさらに光を吸収可能に形成されていることを特徴とする。
【００１５】
ここで「光を吸収可能」とは、特に可視光領域において波長を選択することなしに光を吸収することが可能であることを意味する。
【００１６】
請求項５に記載の発明は、請求項４に記載の光学シート（１０、２０、３０、４０、５０）の楔形部（１３、１３、…、３３、３３、…、４３、４３、…）は、該楔形部を構成する材料のみで形成された６μｍ厚さのシートの透過率測定において、透過率が４０〜７０％となるような光吸収性能を有するように構成されていることを特徴とする。
【００１７】
ここで「透過率」は、対象であるシートを配置する前後における輝度の比を意味し、最大で１００％の値をとる。
【００１８】
請求項６に記載の発明は、請求項４又は５に記載の光学シート（３０）における楔形部（３３、３３、…）は、カーボンブラックを含有することにより光を吸収可能に形成されていることを特徴とする。
【００１９】
請求項７に記載の発明は、請求項４〜６のいずれか一項に記載の光学シート（１０、２０、４０、５０）における楔形部（１３、１３、…、４３、４３、…）には、平均粒径が１μｍ以上の光吸収粒子（１５、１５、…）を含有することを特徴とする。
【００２０】
請求項８に記載の発明は、請求項１〜７のいずれか一項に記載の光学シート（１０、２０、３０、４０、５０）のシート厚方向断面において、光学機能シート層（１１、２１、３１、４１）のプリズム部（１２、１２、…、２２、３２、３２、…、４２、４２、…）は、一方のシート面側に短い上底、他方のシート面側に長い下底を有する台形であり、楔形部（１３、１３、…、３３、３３、…、４３、４３、…）は一方のシート面側を底辺とする三角形であることを特徴とする。
【００２１】
請求項９に記載の発明は、請求項１〜７のいずれか一項に記載の光学シートのシート厚方向断面において、光学機能シート層（１１’’）のプリズム部（１２’’）は、一方のシート面側に短い上底、他方のシート面側に長い下底を有する台形であり、楔形部（１３’’）は一方のシート面側に長い下底、前記他方のシート面側に短い上底を有する台形であることを特徴とする。
【００２２】
請求項１０に記載の発明は、請求項８又は９に記載の光学シート（１０、２０、３０、４０、５０）において、プリズム部（１２、１２、…、２２、３２、３２、…、４２、４２、…）の上底と下底との間に具備される台形の斜辺がシート面の法線に対して０度より大きく１０度以下であることを特徴とする。
【００２３】
請求項１１に記載の発明は、請求項８〜１０に記載の光学シートにおける台形の斜辺が折れ線状、又は曲線からなることを特徴とする。
【００２４】
ここで、斜辺が曲線状である場合における該曲線とシート面の法線との成す角は、次のように求める。上記曲線をシート厚方向に１０等分し、得られる各曲線の端点を結び、直線を得る。そして得られた各直線とシート面の法線との成す角がいずれも０度より大きく１０度以下である。
【００２５】
請求項１２に記載の発明は、請求項１〜１１のいずれか一項に記載の光学シート（１０、２０、３０、４０、５０）におけるプリズム部（１２、１２、…、２２、３２、３２、…、４２、４２、…）を形成する材料の屈折率がＮｐ、及び楔形部（１３、１３、…、３３、３３、…、４３、４３、…）を形成する材料の屈折率がＮｂであるとき、いずれも１．４９〜１．５６の値であることを特徴とする。
【００２６】
請求項１３に記載の発明は、請求項１２に記載の光学シート（１０、２０、３０、４０、５０）におけるＮｐとＮｂとがＮｐ≧Ｎｂの関係があることを特徴とする。
【００２７】
請求項１４に記載の発明は、請求項１〜１３のいずれか一項に記載の光学シート（２０）における光学機能シート層（１１、２１）のプリズム部（１２、２２）及び楔形部（１３）が所定の断面を有して長手方向に延在して形成されるとともに、光学機能シート層が２層積層され、該２層の光学機能シート層の長手方向が一方と他方で直交するように積層されることを特徴とする。
【００２８】
請求項１５に記載の発明は、請求項１〜１４のいずれか一項に記載の光学シート（１０、２０、３０、４０、５０）が備えられることを特徴とする表示装置（１、１’）を提供することにより前記課題を解決する。
【発明の効果】
【００２９】
本発明によれば、画面の色調を従来に比べて適切なものとすることができる。特に、映像光に対しては画面内における色調のムラを改善し、外光に対しては、画面全体の色合いを本来意図した色に近づけることが可能となる。
【００３０】
本発明のこのような作用及び利得は、次に説明する発明を実施するための最良の形態から明らかにされる。
【発明を実施するための最良の形態】
【００３１】
以下本発明を図面に示す実施形態に基づき説明する。
【００３２】
図１は第一実施形態にかかる本発明の光学シート１０の断面を示し、その層構成を模式的に表した図である。図１では、見易さのため繰り返しとなる符号は一部省略することがある（以降に示す各図において同じ。）。光学シート１０は、光学機能シート層１１と、基材層としてのＰＥＴフィルム層１６と、粘着剤層１７と、色調補正層１８とを備えて形成されている。上記各層は図１で示した断面を維持して紙面奥／手前方向に延在する。以下に各層について説明する。
【００３３】
光学機能シート層１１は、光学シート１０のシート面に直交する断面において断面が略台形であるプリズム部１２、１２、…と、該プリズム部１２、１２、…の間に配置された楔形部１３、１３、…とを備えている。図２に１つの楔形部１３及びこれに隣接するプリズム部１２、１２に着目した拡大図を示した。図１、図２、及び適宜示した図を参照しつつ光学機能シート層１１について説明する。
【００３４】
プリズム部１２、１２、…は一方のシート面側が上底、他方のシート面側が下底となるように配置された略台形断面を有する要素である。また、プリズム部１２、１２、…は、屈折率がＮｐである光透過性樹脂で構成されている。これは通常、電離放射線、紫外線等により硬化する特徴を有する例えばエポキシアクリレート等により形成されている。Ｎｐの大きさは特に限定されることはないが材料の入手性の観点から１．４９〜１．５６であることが好ましい。従ってプリズム部１２、１２、…内を映像光が透過することにより観察者に映像光が提供される。
【００３５】
楔形部１３、１３、…は、プリズム部１２、１２、…の間に配置される部位である。従って楔形部１３、１３、…はプリズム部１２、１２、…の上底側を底辺とし、これに対向する頂点をプリズム部１２、１２、…の下底側とする略三角形である。該楔形部１３、１３、…は、屈折率がＮｂである物質が充填されたバインダー部１４と、該バインダー部１４に混入された光吸収粒子１５、１５、…とを備えている。
【００３６】
バインダー部１４は、着色剤が含有されることにより着色された透光性を有する部位である。バインダー部１４の色は、色調補正層１８の色に対して補色の関係にある色とされる。これにより画面における色彩ムラを抑制し、色合いを適切なものに近づけることが可能となる。その理由については後で説明する。
【００３７】
バインダー部１４に充填されるバインダー材は特に限定されるものではないが、上記補色の関係となるように顔料や染料が混入された電離放射線、紫外線等により硬化する特徴を有するウレタンアクリレート等により形成される。また、当該バインダー材は、プリズム部１２、１２、…の屈折率Ｎｐ以下の屈折率Ｎｂである材料により構成されることが好ましい。Ｎｂの大きさは特に限定されることはないが材料の入手性の観点から１．４９〜１．５６であることが好ましく、ＮｐとＮｂとの屈折率の差は、０〜０．０６であることがさらに好ましい。
【００３８】
当該屈折率差と映像光の入射角との関係により、該映像光の一部は楔形部１３、１３、…に入射せずにその界面で反射することができ、これは観察者に提供されるので、明るい映像を提供することが可能となる。
【００３９】
着色剤は、バインダー部１４が適切に着色されればその材料は特に限定されるものではないが、「顔料」や「染料」等を挙げることができる。さらに詳しくは、橙系が好ましく、これには例えばピラゾロンオレンジ、ピラゾロンレッド、ベンツイミダゾロンオレンジ、等を挙げることができる。
【００４０】
光吸収粒子１５、１５、…は、入手性及び取扱いの観点から平均粒径が１μｍ以上の粒子が好ましく、これはカーボン等の顔料又は赤、青、黄等の染料にて所定の濃度に着色されている。これには例えば市販の着色樹脂微粒子を使用することもできる。当該光吸収粒子１５、１５、…の屈折率Ｎｒは特に限定されるものではない。楔形部１３、１３、…に入射した外光の一部が当該光吸収粒子１５、１５、…に吸収されることにより映像のコントラストを向上させることができる。
【００４１】
ここで、楔形部１３、１３、…の光吸収性能は目的によって適宜調整可能であるが、該楔形部を構成する材料のみで形成された６μｍ厚さのシートの透過率測定において、透過率が４０〜７０％となるような光吸収性能を有するように構成されていることが好ましい。透過率が４０〜７０％とするための手段は特に限定されるものではないが、例えば光吸収粒子の含有量や光吸収性能を調整して適用することを挙げることができる。
【００４２】
さらに、楔形部１３、１３、…の斜辺（シート厚さ方向に延在する２つの辺）のシート面法線に対する角度θは特に限定されるものではないが、適切な外光及び映像光の反射・吸収の観点から多くの場合、０度より大きく１０度以下であることが好ましく、０度より大きく６度以下であることがさらに好ましい。
【００４３】
光学機能シート層１１の形状は、図１、図２に示したように、プリズム部１２、１２、…が略台形断面を有し、これらに挟まれて形成される楔形部１３、１３、…は三角形断面を有している。しかし、適切に光を制御することができれば、これら形状は特に限定されることなく適宜適切な形状が採用される。図３に変形例を示した。図３は図２に対応する図で、１つの楔形部１３’と、その両側に配置されるプリズム部１２’、１２’に注目して示した図である。図３からわかるように、楔形部１３’の断面における斜辺（プリズム部１２’、１２’の斜辺）は、１つの斜辺からではなく、２つの斜辺１３ａ’、１３ａ’、１３ｂ’、１３ｂ’から構成されている。すなわち断面において折れ線状の斜辺を有している。詳しくは、プリズム部１２’、１２’の上底（短い側の底）側（紙面左側）に配置される斜辺１３ａ’、１３ａ’は光学シートのシート面の法線に対して角度θ１を有している。一方、プリズム部１２’、１２’の下底（長い側の底）側（紙面右側）に配置される斜辺１３ｂ’、１３ｂ’は光学シートのシート面の法線に対して角度θ２を有している。
【００４４】
この角度θ１、θ２は、θ１＞θ２の関係であるとともにいずれも０度より大きく１０度以下の範囲であることが好ましい。さらに好ましい角度は０度より大きく６度以下である。また、２つの斜辺１３ａ’、１３ｂ’は、光学機能シート層１１の厚み方向（紙面左右方向）にＴ１とＴ２に分ける位置で交差する。Ｔ１とＴ２とは同じ大きさであることが好ましい。
【００４５】
当該変形例は、２つの斜辺により構成されている例であるが、さらに多くの斜辺で構成されることにより、断面において折れ線状であっても良い。さらにはこれが曲線状であっても良い。
【００４６】
本実施形態では、楔形部が三角形である場合を示して説明したが楔形部の形状はこれに限定されるものではなく台形であってもよい。図４に、楔形部が台形である例における光学機能シート層１１’’の楔形部１３’’及びこれに隣接するプリズム部１２’’、１２’’を示した。この形態では図４のように楔形部１３’’が台形であり、このときには該台形における長い底辺（下底）をＰＥＴフィルム層（不図示）とは反対側（紙面左側）に、短い底辺をＰＥＴフィルム層側（紙面右側）に配置することができる。ここで図４にＢで示した上底の長さは２〜２５μｍの範囲であることが好ましい。
【００４７】
図１に戻り、光学シート１０の他の構成について説明する。ＰＥＴフィルム層１６は、該ＰＥＴフィルム層１６上に上記光学機能シート層１１を形成するためのベースとなるフィルム層で、ＰＥＴを主成分として形成されている。当該ＰＥＴフィルム層１６はＰＥＴを主成分として含有していれば良く、他の樹脂が含まれてもよい。ここで主成分とはＰＥＴフィルム層全体に対して５０質量％以上を意味する。また、各種添加剤を適宜な量添加してもよい。一般的な添加剤としては、フェノール系等の酸化防止剤、ラクトン系等の安定剤等を挙げることができる。
【００４８】
粘着剤層１７は、後述するように例えばプラズマテレビ１に配置される他のシートや部材に光学シート１０を接着させるための粘着剤が配置された層である。粘着剤層１７に用いられる粘着剤は光を透過するとともに、適切に光学シート１０を他に接着させることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００４９】
色調補正層１８は、Ｔｉｎｔ層と称されることもあり、ＰＤＰからの映像光の色を補正して観察者にとって適切な色合いの映像を提供するフィルムが配置された層である。また、ネオン線も遮断するように構成されていてもよい。このフィルムには目的の色補正をすることができるように染料や顔料が含有されている。
【００５０】
光学シート１０は、例えば次のように製造される。ＰＥＴフィルム層１６、の一面側に、プリズム部の材料となる液状体を塗布する。次に、プリズム部形状を形成するロール金型とＰＥＴフィルムとの間に、上記プリズム部となる材料を挟んだ状態で紫外線を照射することにより硬化させてプリズム部１２、１２、…を形成する。そして、プリズム部１２、１２、…の間に、バインダー部の材料となる上記補色となる色彩が付された樹脂中に黒色の光吸収粒子が添加された液状体を充填し、スキージする等して余分な材料を取り除くとともに、紫外線を照射することで硬化させて楔形部１３、１３、…を形成する。これにより光学機能シート層１１が製造される。このように製造された光学機能シート層１１に上記粘着剤層１７や色調補正層１８が積層される。
【００５１】
図５は第二実施形態にかかる本発明の光学シート２０の断面で、層構成を模式的に表した図である。光学シート２０は、第一実施形態の光学シート１０の光学機能シート層１１とＰＥＴフィルム層１６との間にもう１枚の光学機能シート層２１が挟まれて配置されたものである。このとき、プリズム部２２及び楔形部（図には表れない。）が光学機能シート層１１のプリズム部１２、１２、…及び楔形部１３、１３、…と直交するように配置される。従って、光学機能シート層２１のプリズム部２２と楔形部とは紙面奥／手前方向に交互に並列されている。
【００５２】
図６は、第三実施形態にかかる本発明の光学シート３０の断面を示し、その層構成を模式的に表した図である。光学シート３０は、第一実施形態の光学シート１０のうち光学機能シート層１１の代わりに、光学機能シート層３１が配置されたものである。光学シート３０の他の層は上記した説明と共通するのでここでは説明を省略する。
【００５３】
光学シート３０では、光学機能シート層３１において、楔形部３３、３３、…に光吸収粒子が具備されず、バインダー樹脂に補色による上記機能と、光吸収作用とを備えた光学シートである。すなわち、楔形部３３、３３、…には、バインダー材の中に色調補正層１８に対して補色の関係となる着色剤と、光吸収性を有する染料又は顔料とが混ぜられる。バインダー材の例としては、上記と同様電離放射線、紫外線等により硬化する特徴を有するウレタンアクリレート等を挙げることができる。また、光吸収性を有する染料又は顔料としては例えばカーボンブラックを挙げることができる。このような光学シート３０であっても本発明の光学シートをすることが可能である。
【００５４】
ここでも、楔形部３３、３３、…の光吸収性能は目的によって適宜調整可能であるが、該楔形部を構成する材料のみで形成された６μｍ厚さのシートの透過率測定において、透過率が４０〜７０％となるような光吸収性能を有するように構成されていることが好ましい。透過率が４０〜７０％とするための手段は特に限定されるものではないが、例えば光吸収性を有する染料又は顔料の濃度を調整することを挙げることができる。
【００５５】
図７は、第四実施形態にかかる本発明の光学シート４０の断面を示し、その層構成を模式的に表した図である。光学シート４０は、第一実施形態の光学シート１０のうち光学機能シート層１１の代わりに、光学機能シート層４１が配置されたものである。また、図８には光学機能シート層４１のうち１つの楔形部４３とこれに隣接するプリズム部４２、４２を拡大して示した。
【００５６】
図７、図８からわかるように、光学シート４０では、光学機能シート層４１において、楔形部４３、４３、…のバインダー部４４内に光吸収粒子４５、４５、…及び上記補色である着色剤を含有する着色粒子４６、４６、…を含んでいる。これにより光吸収粒子４５、４５、…による光吸収性能と、着色粒子４６、４６、…による補色機能とを有する光学シートを提供することができる。従ってこのときのバインダー部４４に具備される樹脂には着色剤を必要とせず、透明なものをそのまま使用することも可能である。
【００５７】
着色粒子４６、４６、…は、入手性及び取扱いの観点から平均粒径が１μｍ以上の粒子が好ましく、これは着色剤により上記補色となるように着色されている。これには例えば市販の着色樹脂微粒子を使用することもできる。
【００５８】
ここでも、楔形部４３、４３、…の光吸収性能は目的によって適宜調整可能であるが、該楔形部を構成する材料のみで形成された６μｍ厚さのシートの透過率測定において、透過率が４０〜７０％となるような光吸収性能を有するように構成されていることが好ましい。透過率が４０〜７０％とするための手段は特に限定されるものではないが、例えば光吸収粒子の含有量や濃度を調整することを挙げることができる。
【００５９】
図９は第五実施形態にかかる本発明の光学シート５０の断面で、層構成を模式的に表した図である。光学シート５０は第一実施形態にかかる本発明の光学シート１０に対して粘着剤層１７が色調補正層１８の面のうち光学機能シート層１１とは反対側の面に積層された例である。光学シート５０に備えられる各層については上記した説明と共通するのでここでは説明を省略する。かかる構成の光学シート５０も本発明の光学シートとすることができる。光学シート５０のかかる構成により、後述するように光学シート５０を映像源であるＰＤＰ等に直接に貼付することができるようになる。
【００６０】
上記説明した光学シート１０、２０、３０、４０、５０に具備される基材層については、必ずしもＰＥＴを材料とすることはなく、その他にもポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からＰＥＴを主成分とする樹脂が好ましい材料であるとして説明した。
【００６１】
また、色調補正層１８は、上記したいずれの光学シート１０、２０、３０、４０、５０でも光学機能シート層１１、３１、４１に積層されている態様であったがこれに限定されるものではなく、例えばＰＥＴフィルム層１６の光学機能シート層１１、３１、４１とは反対側の面に積層されてもよい。
【００６２】
また、光学シート１０、２０、３０、４０、５０には、電磁波を遮断するフィルム層、反射を防止するフィルム層、帯電を防止するフィルム層、防眩を目的とするフィルム層等の機能フィルム層が備えられてもよい。
【００６３】
次に、以上のような本発明の光学シート１０が表示装置であるプラズマテレビ１に取り付けられた時の構成について説明する。図１０は光学シート１０がＰＤＰ２の映像光出射側に配置され、当該ＰＤＰ２及び光学シート１０がプラズマテレビ１に備えられたときの該ＰＤＰ２及び光学シート１０が配置される部分に注目して示した断面図である。図１０では紙面右が観察者側である。ここでは、光学シート１０が適用された場合について説明するが、光学シート２０、３０、４０についても同様である。
【００６４】
図１０に示したように、本発明の光学シート１０は、映像源であるＰＤＰ２に対してＡで示した間隙を有して観察者側に配置される。また粘着剤層１７の観察者側には、ガラス層６やＡＳ、ＡＲの機能を有する各種層（３、４）が設けられている。ここで、「ＡＳ」とは「アンチスタティック」の略で帯電防止機能をいい、「ＡＲ」とは「アンチリフレクション」の略で光の反射率を抑える機能を意味する。またＡＲの代わりに画面のぎらつきを防止することができる「ＡＧ（アンチグレア）」層が設けられてもよい。
【００６５】
ここでは、他に備えられる層としてＡＲ、ＡＳの各種層を例に挙げたが、その他必要に応じてさらに他の機能を有する層を備えることができる。これには例えば、電磁波を遮断する層等を挙げることができる。
【００６６】
図１１は光学シート５０がＰＤＰ２の映像光出射側に直接積層され、当該ＰＤＰ２及び光学シート５０がプラズマテレビ１’に備えられたときの該ＰＤＰ２及び光学シート５０が配置される部分に注目して示した断面図である。図１１では紙面右が観察者側である。
【００６７】
図１１からわかるように、プラズマテレビ１’では光学シート５０は、映像源であるＰＤＰ２に粘着剤層１７により直接積層される。またＰＥＴフィルム層１６の観察者側には、上記したと同様にＡＳ、ＡＲの機能を有する各種層（３、４）が設けられている。そしてここでもその他必要に応じてさらに他の機能を有する層を備えることができる。これには例えば、電磁波を遮断する層等を挙げることができる。
【００６８】
プラズマテレビ１’によれば、プラズマテレビ１の間隙Ａを有しない他、ガラス層６も必要としないのでプラズマテレビのさらなる薄型化が可能となる。
【００６９】
次に本発明の光学シートにより色調がどのように観察されるかについて説明する。図１２は画面中央からその法線方向に所定の距離離隔する観察者Ｃに観察される光Ｌ１、Ｌ２の光路の例を模式的に示した図である。光Ｌ１は、画面中央から観察者Ｃに出射する光の例であり、光Ｌ２は、画面の下端部から観察者Ｃに出射する光の例である。
【００７０】
光Ｌ１については、ＰＤＰから出射された光が色調補正され（光路Ｌ１ａ）、プリズム部１２を透過し、これがＬ１として観察者に到達する。このとき、光路Ｌ１ａにおいて、光Ｌ１は色調補正層１８の厚さ方向を該層の法線方向に横切るように透過するので、意図した色調補正がおこなわれている。
【００７１】
一方、光Ｌ２については、光路Ｌ２ａ及び光路Ｌ２ｂを含んだ光路により観察者Ｃに到達する。ここで、光路Ｌ２ａでは色調補正層１８の厚さ方向を斜めに透過するので、該光路Ｌ２ａは上記光路Ｌ１ａに比べて色調補正層１８内を透過する距離が長い分、より色調補正層１８の色彩の強い色が出射されてしまう。もしこのままの光が観察者に提供されてしまうと、観察者は光Ｌ１と異なる色彩を感じることとなり色ムラとして認識する。そこで、本発明の光学シート１０では楔形部１３のバインダー部１４に上記のような補色の関係を有するように構成しているので、光路Ｌ２ｂにおいてバインダー部１４内を透過することにより色彩がさらに補正される。これにより観察者はＬ１とＬ２とを概ね同じ色彩であると認識し、色彩ムラを抑制することができる。
【００７２】
図１３は、外光Ｌ３及びその反射光Ｌｆ３の光路例を示した図である。特に図１３に示したような斜め上方から光学シート１０に向けて照射される外光Ｌ３は、所定の光路を経てＰＤＰ２の表面で反射して反射光Ｌ３ｆとして観察者側に再度出射される。詳しくは、プリズム部１２を透過した後該外光Ｌ３は、楔形部１３に達する。楔形部１３に侵入した外光Ｌ３はバインダー部１４を透過する（光路Ｌ３ａ）。このとき該バインダー部１４は上記したように補色の機能を有しているので、ここを透過した光は補色の色彩となる。さらにバインダー部１４を透過した光は色調補正層１８を透過し（光路Ｌ３ｂ）、ＰＤＰ２に達する。
【００７３】
このようにしてＰＤＰ２に達した外光Ｌ３の一部は、該ＰＤＰ２の表面で反射し、反射光Ｌｆ３となる。当該反射光Ｌｆ３は、色調補正層１８を透過して（光路Ｌｆ３ｂ）観察者側に出射される。
【００７４】
ここで、図１３からもわかるように外光Ｌ３が光学シート１０に入射して、反射光Ｌｆ３として出射する間に色調補正層１８を２度透過する。すなわちバインダー部１４に補色の機能がなかったとすれば、反射光Ｌｆ３は色調補正層の色彩を色濃く有することとなり、これが観察者に認識されてしまう。しかし本発明の光学シート１０によれば、一部の外光Ｌ３について少なくとも１度はバインダー部１４を透過するので、このような不適切な色合いが緩和される。
【００７５】
以上のように、本発明の光学シート１０、２０、３０、４０、５０によれば、映像光については画面の色ムラを抑制することができ、外光に対しては色合いをより適正化することが可能となる。
【００７６】
以上のような構成を備える光学シートに関して、以下に実施例を示し、さらに詳しく説明する。ただし、本発明は実施例の範囲に限定されるものではない。
【実施例】
【００７７】
実施例として、２つの例（実施例１、実施例２）について補色を決定し、その補色を有する楔形部を備えた光学シートを製作して色調に関する試験をおこなった。その概要を以下に説明する。
【００７８】
はじめに色調補正層の光学的特性を明確するために、色調補正層に対して０度（色調補正層の法線方向）から入射した白色光の透過光について分光透過率を測定した。分光透過率の測定は分光光度計（ＵＶ−２４００ＰＣ、島津製作所）にて測定した。詳しくは、試料を透過しない１００％の参照信号に対し、該試料を透過した信号の割合を測定することによりおこなう。また、同様に色調補正層に対して、その法線から４５度の角度を有して入射した白色光の透過光についても分光透過率を測定した。これによりそれぞれ各波長における透過率を得ることができる。
【００７９】
次に得られた０度の分光透過率、及び４５度の分光透過率について波長ごとに差をとった。そして算出された分光特性に対する補色を楔形部が備える補色とした。
【００８０】
図１４、図１５に、上記０度の分光透過率、４５度の分光透過率、０度の分光透過率と４５度の分光透過率との差、及び補色の分光透過率をそれぞれ示した。図１４は実施例１、図１５は実施例２である。図中では、０度の分光透過率を「０度特性Ｐ」、４５度の分光透過率を「４５度特性Ｑ」と表示し、その差を「Ｐ−Ｑ」とした。そして、得られた補色の分光透過率を「補色Ｒ」と記載した。
【００８１】
このようにして得た補色を用いて、光学シートを製作し、白色点灯時及び黒色時（非点灯時）の色調を目視で観察した。黒色時には上方４５度から外光として白色光を画面に向けて照射した。また、目視は画面の中心から該画面の法線方向に所定の距離離隔した位置から観察をおこなった。ここで所定の距離は画面の高さ方向大きさの３倍とした。
【００８２】
その結果、白色点灯時においては色ムラが改善され、黒色時には画面全体に亘って色調をより意図する色彩（ここでは黒色）に近づけることができた。すなわち、本発明の光学シートでは、このようにして求めた補色Ｒを有する着色剤により着色された楔形部を適用することにより、図１２、図１３を示して説明したように上記効果を奏することができた。一方、補色Ｒを有する着色材を用いない従来の光学シートでは、Ｐ−Ｑの特徴が観察者に観察され、色ムラ等を生じてしまう。
【００８３】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シート、及び表示装置も本発明の技術的範囲に包含されるものとして理解されなければならない。
【図面の簡単な説明】
【００８４】
【図１】第一実施形態にかかる本発明の光学シートの断面を示し、その層構成を模式的に表した図である。
【図２】図１に示した光学シートの一部を拡大して示した図である。
【図３】変形例にかかる本発明の光学シートの一部を拡大して示した図である。
【図４】楔形部が台形である例における本発明の光学シートの一部を拡大して示した図である。
【図５】第二実施形態にかかる本発明の光学シートの断面を示し、その層構成を模式的に表した図である。
【図６】第三実施形態にかかる本発明の光学シートの断面を示し、その層構成を模式的に表した図である。
【図７】第四実施形態にかかる本発明の光学シートの断面を示し、その層構成を模式的に表した図である。
【図８】図７に示した光学シートの一部を拡大して示した図である。
【図９】第五実施形態にかかる本発明の光学シートの断面を示し、その層構成を模式的に表した図である。
【図１０】本発明の光学シートがプラズマテレビに取り付けられた例においてＰＤＰ及び光学シート部分に着目して示した図である。
【図１１】本発明の光学シートがプラズマテレビに取り付けられた他の例においてＰＤＰ及び光学シート部分に着目して示した図である。
【図１２】映像光の光路を説明するための図である。
【図１３】外光の光路を説明するための図である。
【図１４】実施例１における各分光透過率特性を示したグラフである。
【図１５】実施例２における各分光透過率特性を示したグラフである。
【符号の説明】
【００８５】
１  プラズマテレビ（表示装置）
２  プラズマディスプレイパネル（ＰＤＰ）
１０、２０、３０、４０、５０  光学シート
１１、２１、３１、４１  光学機能シート層
１２、２２、３２、４２  プリズム部
１３、３３、４３  楔形部
１４  バインダー部
１５  光吸収粒子
１６  ＰＥＴフィルム層
１７  粘着剤層
【図１】
0005034909.tif 000002
【図２】
0005034909.tif 000003
【図３】
0005034909.tif 000004
【図４】
0005034909.tif 000005
【図５】
0005034909.tif 000006
【図６】
0005034909.tif 000007
【図７】
0005034909.tif 000008
【図８】
0005034909.tif 000009
【図９】
0005034909.tif 000010
【図１０】
0005034909.tif 000011
【図１１】
0005034909.tif 000012
【図１２】
0005034909.tif 000013
【図１３】
0005034909.tif 000014
【図１４】
0005034909.tif 000015
【図１５】
0005034909.tif 000016